(57)【要約】【課題】放送局から受信する放送波の受信状況を考慮すると共に、ＩＰ通信網などの他のネットワークを介して提供されるコンテンツを適切に受信する。【解決手段】放送局２により放送される放送番組と同一または関連するコンテンツの、放送局２からの放送波以外の通信手段であるＩＰ通信網１０を介した受信について、放送波の受信レベルＲ（放送波の受信状況）が閾値Ｔ（所定の受信許可基準）を満たすか否かを所定のタイミングで判定し、この判定によりコンテンツの受信が許可された場合、ＩＰ通信網１０を介してネットワーク接続部９６（受信部）でコンテンツを受信し、このコンテンツの受信終了までの期間、受信可否判定による所定のタイミングでの判定に係らず受信を許可させる制御部９９（許可部および受信許可基準変更部）を有する受信装置５（情報受信制御装置）とする。【選択図】図７
2012216966.tif 000002
【特許請求の範囲】
【請求項１】
放送局により放送される放送番組と同一または関連するコンテンツの、前記放送局からの放送波以外の通信手段を介した受信について、前記放送波の受信状況が所定の受信許可基準を満たすか否かを所定のタイミングで判定する受信可否判定部と、
前記受信可否判定部の判定により前記コンテンツの受信が許可された場合、前記通信手段を介して前記コンテンツを受信するコンテンツ受信部と、
前記受信部による前記コンテンツの受信を、前記コンテンツの受信終了までの期間、前記受信可否判定部による前記所定のタイミングでの判定に係らず許可させる受信許可維持部と、
を備えることを特徴とする情報受信制御装置。
【請求項２】
請求項１に記載の情報受信制御装置であって、
前記コンテンツの記録を行うコンテンツ記録制御部を備え、
前記受信許可維持部は、前記コンテンツ記録制御部による前記コンテンツの記録が行われている場合、前記コンテンツ記録制御部により記録が行われている前記コンテンツの受信を、前記コンテンツの受信終了までの期間、前記受信可否判定部による判定に係らず許可させる、
ことを特徴とする情報受信制御装置。
【請求項３】
請求項１に記載の情報受信制御装置であって、
前記コンテンツの聴取または記録の予約行うコンテンツ予約制御部を備え、
前記受信許可維持部は、前記コンテンツ予約制御部による前記コンテンツの予約が行われている場合、前記コンテンツ予約制御部により予約された前記コンテンツの受信を、前記コンテンツの受信終了までの期間、前記受信可否判定部による判定に係らず許可させる、
ことを特徴とする情報受信制御装置。
【請求項４】
請求項１から請求項３のいずれか１項に記載の情報受信制御装置であって、
前記受信許可維持部は、
前記コンテンツ毎の受信について、前記コンテンツの受信終了までの期間、許可させることを特徴とする情報受信制御装置。
【請求項５】
請求項１から請求項３のいずれか１項に記載の情報受信制御装置であって、
前記受信許可維持部は、
前記コンテンツを構成する放送内容単位毎の受信について、前記放送内容単位毎の受信終了までの期間、許可させることを特徴とする情報受信制御装置。
【請求項６】
請求項１から請求項５のいずれか１項に記載の情報受信制御装置であって、
前記受信可否判定部は、
前記所定の受信許可基準に基づく判定を、前記コンテンツの受信開始時に計測された前記放送波の受信状況または受信開始前であって最新の前記放送波の受信状況に基づき行うことを特徴とする情報受信制御装置。
【請求項７】
請求項２に記載の情報受信制御装置であって、
前記受信可否判定部は、
前記所定の受信許可基準に基づく判定を、前記コンテンツ記録制御部による前記コンテンツの記録開始時に計測された前記放送波の受信状況または記録開始前であって最新の前記放送波の受信状況に基づき行うことを特徴とする情報受信制御装置。
【請求項８】
請求項３に記載の情報受信制御装置であって、
前記受信可否判定部は、
前記所定の受信許可基準に基づく判定を、前記コンテンツ予約制御部による前記コンテンツの予約指示時に計測された前記放送波の受信状況、予約指示前であって最新の前記放送波の受信状況、予約に基づくコンテンツの受信開始時に計測された前記放送波の受信状況、予約に基づくコンテンツの受信開始前であって最新の前記放送波の受信状況のいずれかの受信状況に基づき行うことを特徴とする情報受信制御装置。
【請求項９】
放送局により放送される放送番組と同一または関連するコンテンツの、前記放送局からの放送波以外の通信手段を介した情報受信制御装置への送信について、前記情報受信制御装置における前記放送波の受信状況が所定の送信許可基準を満たすか否かを所定のタイミングで判定する送信可否判定部と、
前記送信可否判定部の判定により前記コンテンツの送信が許可された場合、前記通信手段を介して前記情報受信制御装置に前記コンテンツを送信するコンテンツ送信部と、
前記コンテンツ送信部による前記コンテンツの送信を、前記コンテンツの送信終了までの期間、前記送信可否判定部による所定のタイミングでの判定に係らず許可させる送信許可維持部と、
を備えることを特徴とする情報送信制御装置。
【請求項１０】
請求項９に記載の情報送信制御装置であって、
前記送信許可維持部は、
前記コンテンツ毎の送信について、前記コンテンツの送信終了までの期間、許可させること、
ことを特徴とする情報送信制御装置。
【請求項１１】
請求項９に記載の情報送信制御装置であって、
前記コンテンツを構成する放送内容単位毎の送信について、前記放送内容単位毎の送信終了までの期間、許可させること、
を特徴とする情報送信制御装置。
【請求項１２】
請求項９から請求項１１のいずれか１項に記載の情報送信制御装置であって、
前記送信可否判定部は、
前記所定の送信許可基準に基づく判定を、前記コンテンツの送信開始前に取得した前記情報受信制御装置における前記放送波の受信状況に基づき判定する、
ことを特徴とする情報送信制御装置。
【請求項１３】
放送局により放送される放送番組と同一または関連するコンテンツの、前記放送局からの放送波以外の通信手段を介した受信について、前記放送波の受信状況が所定の受信許可基準を満たすか否かを所定のタイミングで判定する受信可否判定ステップと、
前記受信可否判定ステップにより前記コンテンツの受信が許可された場合、前記通信手段を介して前記コンテンツを受信するコンテンツ受信ステップと、
前記コンテンツ受信ステップによる前記コンテンツの受信を、前記コンテンツの受信終了までの期間、前記受信可否判定ステップによる所定のタイミングでの判定に係らず許可させる受信許可維持ステップと、
を有することを特徴とする情報受信制御方法。
【請求項１４】
放送局により放送される放送番組と同一または関連するコンテンツの、前記放送局からの放送波以外の通信手段を介した情報受信制御装置への送信について、前記情報受信制御装置における前記放送波の受信状況が所定の送信許可基準を満たすか否かを所定のタイミングで判定する送信可否判定ステップと、
前記送信可否判定ステップにより前記コンテンツの送信が許可された場合、前記通信手段を介して前記情報受信制御装置に前記コンテンツを送信するコンテンツ送信ステップと、
前記コンテンツ送信ステップによる前記コンテンツの送信を、前記コンテンツの送信終了までの期間、前記送信可否判定ステップによる所定のタイミングでの判定に係らず許可させる送信許可維持ステップと、
を有することを特徴とする情報送信制御方法。
【請求項１５】
放送局により放送される放送番組と同一または関連するコンテンツの、前記放送局からの放送波以外の通信手段を介しての受信が可能であるコンピュータに、
前記コンテンツの前記通信手段を介した受信について、前記放送波の受信状況が所定の受信許可基準を満たすか否かを所定のタイミングで判定する受信可否判定ステップと、
前記受信可否判定ステップにより前記コンテンツの受信が許可された場合、前記通信手段を介して前記コンテンツを受信するコンテンツ受信ステップと、
前記コンテンツ受信ステップによる前記コンテンツの受信を、前記コンテンツの受信終了までの期間、前記受信可否判定ステップによる所定のタイミングでの判定に係らず許可させる受信許可維持ステップと、
を実行させるためのプログラム。
【請求項１６】
放送局により放送される放送番組と同一または関連するコンテンツの、前記放送局からの放送波以外の通信手段を介して情報受信制御装置へ送信が可能であるコンピュータに、
前記コンテンツの、前記通信手段を介した前記情報受信制御装置への送信について、前記情報受信制御装置における前記放送波の受信状況が所定の送信許可基準を満たすか否かを所定のタイミングで判定する送信可否判定ステップと、
前記送信許可ステップにより前記コンテンツの送信が許可された場合、前記通信手段を介して前記情報受信制御装置に前記コンテンツを送信するコンテンツ送信ステップと、
前記コンテンツ送信ステップによる前記コンテンツの送信を、前記コンテンツの送信終了までの期間、前記送信可否判定ステップによる所定のタイミングでの判定に係らず許可させる送信許可維持ステップと、
を実行させるためのプログラム。
【発明の詳細な説明】
【技術分野】
【０００１】
本発明は、情報受信制御装置、情報送信制御装置、情報受信制御方法、情報送信制御方法、およびプログラムに関する。
【背景技術】
【０００２】
アナログ放送を受信する装置では、放送局から伝送される搬送波と同調し、電界強度またはＳ／Ｎ比(Signal-Noise Ratio)などの受信感度に関する値が一定以上の基準を満たす場合に、その周波数を自動的に選局してコンテンツを受信する装置が知られている。また、インターネットなどのＩＰ(Internet Protocol)通信網を介して放送局が放送するコンテンツの放送を行う、いわゆるＩＰ放送を受信する装置も知られている。そして、上述した２つの装置の両方の機能を利用して、アナログ放送とＩＰ放送とを双方共に受信可能な受信制御装置が知られている。このような受信制御装置でＩＰ放送によるコンテンツを受信する際には、行政が放送免許で設定した放送対象地域内にある地域に設置されているか否かを考慮する必要がある。
【０００３】
そのため、たとえば特許文献１に開示される技術では、視聴者宅に設置されたセットトップボックスに備えられているＧＰＳ(Global Positioning System)機能により検知された緯度/経度情報をそのセットトップボックスの地域情報としてサーバ側へ送信し、送信された地域情報に基づいて予め備えられている動作地域テーブルを参照し、放送対象地域であるか否かの判定を実行し、放送局の放送対象範囲内であると判定した場合にはセットトップボックスへコンテンツを提供するようにしている。また、特許文献２に開示される技術では、放送局の放送対象範囲内であるか否かを放送局から受信した放送波（電波）の受信感度によって判定することによって、放送局の放送対象範囲内にあると判定された地域のみコンテンツを提供するようにしている。
【先行技術文献】
【特許文献】
【０００４】
【特許文献１】特開２００８−２８８８１４号公報（要約など）
【０００５】
【特許文献２】特開２００８−１８２６０４号公報（図１０、段落００７９など）
【発明の概要】
【発明が解決しようとする課題】
【０００６】
ところで、行政が放送免許で設定した放送対象地域外まで放送局の放送電波が送出されてしまう現象、つまり、放送波のスピルオーバーによってコンテンツを受信できる地域がある。このような地域において、特許文献１に開示される技術を採用すると、緯度/経度情報により判定しているため、アナログ放送により受信できる番組をＩＰ放送で視聴することはできない。また、このような地域において、特許文献２の技術を採用すると、放送波の受信感度によって判定するためＩＰ放送でも視聴することが可能になる。しかしながら、放送波のスピルオーバーによって受信できる地域であっても、特に放送波の受信環境が不安定な地域（いわゆるフリンジエリア）においては、特許文献２の技術を採用した場合でも、ＩＰ放送が受信できると判定される場合と、受信できないと判定される場合とがあり、このように異なる判定が頻繁に発生してしまうとＩＰ放送によるコンテンツの受信が安定せず、ユーザがＩＰ放送によるコンテンツの視聴をしようとしても、視聴できない状況が発生する恐れがある。
【０００７】
本発明は、このような背景の下に行われたものであって、放送局から受信する放送波の受信状況を考慮すると共に、ＩＰ通信網などの他のネットワークを介して提供されるコンテンツを適切に受信することができる情報受信制御装置、情報送信制御装置、情報受信制御方法、情報送信制御方法、およびプログラムを提供することを目的とする。
【課題を解決するための手段】
【０００８】
本発明の１つの観点は、情報受信制御装置としての観点である。すなわち、本発明の情報受信制御装置は、放送局により放送される放送番組と同一または関連するコンテンツの、放送局からの放送波以外の通信手段を介した受信について、放送波の受信状況が所定の受信許可基準を満たすか否かを所定のタイミングで判定する受信可否判定部と、受信可否判定部の判定によりコンテンツの受信が許可された場合、通信手段を介してコンテンツを受信する受信部と、受信部によるコンテンツの受信を、コンテンツの受信終了までの期間、受信可否判定部による所定のタイミングでの判定に係らず許可させる受信許可維持部とを備えるものである。
【０００９】
また、本発明の情報受信制御装置は、上述した構成に加え、コンテンツの記録を行うコンテンツ記録制御部を備え、受信許可維持部は、コンテンツ記録制御部によるコンテンツの記録が行われている場合、コンテンツ記録制御部により記録が行われているコンテンツの受信を、コンテンツの受信終了までの期間、受信可否判定部による判定に係らず許可させることが好ましい。
【００１０】
また、本発明の情報受信制御装置は、上述した構成に加え、コンテンツの聴取または記録の予約行うコンテンツ予約制御部を備え、受信許可維持部は、コンテンツ予約制御部によるコンテンツの予約が行われている場合、コンテンツ予約制御部により予約されたコンテンツの受信を、コンテンツの受信終了までの期間、受信可否判定部による判定に係らず許可させることが好ましい。
【００１１】
また、上述した情報受信制御装置の受信許可維持部は、コンテンツ毎の受信について、コンテンツの受信終了までの期間、許可させることが好ましい。
【００１２】
また、上述した情報受信制御装置の受信許可維持部は、コンテンツを構成する放送内容単位毎の受信について、放送内容単位毎の受信終了までの期間、許可させることが好ましい。
【００１３】
また、上述した情報受信制御装置の受信可否判定部は、所定の受信許可基準に基づく判定を、コンテンツの受信開始時に計測された放送波の受信状況または受信開始前であって最新の放送波の受信状況に基づき行うことが好ましい。
【００１４】
また、上述した情報受信制御装置の受信可否判定部は、所定の受信許可基準に基づく判定を、コンテンツ記録制御部によるコンテンツの記録開始時に計測された放送波の受信状況または記録開始前であって最新の放送波の受信状況に基づき行うことが好ましい。
【００１５】
また、上述した情報受信制御装置の受信可否判定部は、所定の受信許可基準に基づく判定を、コンテンツ予約制御部によるコンテンツの予約指示時に計測された放送波の受信状況、予約指示前であって最新の放送波の受信状況、予約に基づくコンテンツの受信開始時に計測された放送波の受信状況、予約に基づくコンテンツの受信開始前であって最新の放送波の受信状況のいずれかの受信状況に基づき行うことが好ましい。
【００１６】
また、本発明の他の観点は、情報送信制御装置としての観点である。すなわち、本発明の情報送信制御装置は、放送局により放送される放送番組と同一または関連するコンテンツの、放送局からの放送波以外の通信手段を介した情報受信制御装置への送信について、情報受信制御装置における放送波の受信状況が所定の送信許可基準を満たすか否かを所定のタイミングで判定する送信可否判定部と、送信可否判定部の判定によりコンテンツの送信が許可された場合、通信手段を介して情報受信制御装置にコンテンツを送信するコンテンツ送信部と、コンテンツ送信部によるコンテンツの送信を、コンテンツの送信終了までの期間、送信可否判定部による所定のタイミングでの判定に係らず許可させる送信許可維持部と、を備えるものである。
【００１７】
また、上述した情報送信制御装置の送信許可維持部は、コンテンツ毎の送信について、コンテンツの送信終了までの期間、許可させることが好ましい。
【００１８】
また、上述した情報送信制御装置の送信許可維持部は、コンテンツを構成する放送内容単位毎の送信について、放送内容単位毎の送信終了までの期間、許可させることが好ましい。
【００１９】
また、上述した情報送信制御装置の送信可否判定部は、所定の送信許可基準に基づく判定を、コンテンツの送信開始前に取得した情報受信制御装置における放送波の受信状況に基づき判定することが好ましい。
【００２０】
また、本発明の他の観点は、情報受信制御方法としての観点である。すなわち、本発明の情報受信制御方法は、放送局により放送される放送番組と同一または関連するコンテンツの、放送局からの放送波以外の通信手段を介した受信について、放送波の受信状況が所定の受信許可基準を満たすか否かを所定のタイミングで判定する受信可否判定ステップと、受信可否判定ステップによりコンテンツの受信が許可された場合、通信手段を介してコンテンツを受信するコンテンツ受信ステップと、コンテンツ受信ステップによるコンテンツの受信を、コンテンツの受信終了までの期間、受信可否判定ステップによる所定のタイミングでの判定に係らず許可させる受信許可維持ステップと、を有するものである。
【００２１】
また、本発明の他の観点は、情報送信制御方法としての観点である。すなわち、本発明の情報送信制御方法は、放送局により放送される放送番組と同一または関連するコンテンツの、放送局からの放送波以外の通信手段を介した情報受信制御装置への送信について、情報受信制御装置における放送波の受信状況が所定の送信許可基準を満たすか否かを所定のタイミングで判定する送信可否判定ステップと、送信可否判定ステップによりコンテンツの送信が許可された場合、通信手段を介して情報受信制御装置にコンテンツを送信するコンテンツ送信ステップと、コンテンツ送信ステップによるコンテンツの送信を、コンテンツの送信終了までの期間、送信可否判定ステップによる所定のタイミングでの判定に係らず許可させる送信許可維持ステップと、を有するものである。
【００２２】
また、本発明の他の観点は、情報受信制御を行うためのプログラムとしての観点である。すなわち、本発明のプログラムは、放送局により放送される放送番組と同一または関連するコンテンツの、放送局からの放送波以外の通信手段を介しての受信が可能であるコンピュータに、コンテンツの通信手段を介した受信について、放送波の受信状況が所定の受信許可基準を満たすか否かを所定のタイミングで判定する受信可否判定ステップと、受信可否判定ステップによりコンテンツの受信が許可された場合、通信手段を介してコンテンツを受信するコンテンツ受信ステップと、コンテンツ受信ステップによるコンテンツの受信を、コンテンツの受信終了までの期間、受信可否判定ステップによる所定のタイミングでの判定に係らず許可させる受信許可維持ステップと、を実行させるためのものである。
【００２３】
また、本発明の他の観点は、情報送信制御を行うためのプログラムとしての観点である。すなわち、本発明のプログラムは、放送局により放送される放送番組と同一または関連するコンテンツの、放送局からの放送波以外の通信手段を介して情報受信制御装置へ送信が可能であるコンピュータに、コンテンツの通信手段を介した情報受信制御装置への送信について、情報受信制御装置における放送波の受信状況が所定の送信許可基準を満たすか否かを所定のタイミングで判定する送信可否判定ステップと、送信許可ステップによりコンテンツの送信が許可された場合、通信手段を介して情報受信制御装置にコンテンツを送信するコンテンツ送信ステップと、コンテンツ送信ステップによるコンテンツの送信を、コンテンツの送信終了までの期間、送信可否判定ステップによる所定のタイミングでの判定に係らず許可させる送信許可維持ステップと、を実行させるためのものである。
【発明の効果】
【００２４】
各発明によれば、放送局から受信する放送波の受信状況を考慮すると共に、ＩＰ通信網などの他のネットワークを介して提供されるコンテンツを適切に受信することができる。
【図面の簡単な説明】
【００２５】
【図１】本発明の実施の形態に係る受信制御装置を含む情報配信システムの構成例を示す図である。
【図２】図１に示す放送局の構成例を示すブロック図である。
【図３】図１に示す放送局管理サーバの構成例を示すブロック図である。
【図４】図３に示す全放送局情報ＤＢに格納されているデータの一例を示す図である。
【図５】図３に示すチューナＩＣ情報ＤＢに格納されているデータの一例を示す図である。
【図６】図１に示す放送局ポータルサーバの構成例を示すブロック図である。
【図７】図１に示す受信装置の構成例を示すブロック図である。
【図８】図１に示す受信装置が実行するコンテンツ受信制御処理のフローチャートである。
【図９】図８のフローチャートの処理におけるＳ３の処理の詳細を示すフローチャートである。
【図１０】図７に示す受信状況検出部により検出される受信レベルＲと、制御部が設定するＩＰ放送の受信可否を判断するための受信許可基準である閾値Ｔと、制御部が行う受信許可維持との関係を時間の遷移と共に示した図である。
【図１１】図１０の変形例であり、受信するコンテンツの種類と受信可否判定方法の関係を説明するための図である。
【図１２】本発明の第２の実施例に係る受信許可を維持するための受信制御処理を示すフローチャートである。
【図１３】本発明の第２の実施例における、受信状況検出部により検出される受信レベルＲと、制御部が設定するＩＰ放送の受信可否を判断するための受信許可基準である閾値Ｔと、制御部が行う受信許可維持との関係を時間の遷移と共に示した図である。
【図１４】本発明の第３の実施例に係る受信装置が実行する受信制御処理を示す図である。
【図１５】本発明の第３の実施例に係る受信装置が実行する受信制御処理を示す図である。
【図１６】本発明の第３の実施例における、受信状況検出部により検出される受信レベルＲと、制御部が設定するＩＰ放送の受信可否を判断するための受信許可基準である閾値Ｔと、制御部が行う受信許可維持との関係を時間の遷移と共に示した図である。
【発明を実施するための形態】
【００２６】
本発明に係る情報受信制御装置、情報送信制御装置、情報受信制御方法、情報送信制御方法、およびプログラムの実施の形態について、図面を参照しながら説明する。なお、本発明に係る情報受信制御方法、情報送信制御方法およびプログラムについては、情報受信制御装置および情報送信制御装置の構成の説明、情報受信制御装置および情報送信制御装置が実行する処理の説明と共に行うものとする。
【００２７】
（情報配信システム１の構成）
図１は、本発明の第１の実施例に係る情報受信制御装置を含む情報配信システム１の構成を示すブロック図である。情報配信システム１は、放送局２、放送局管理サーバ３、放送局ポータルサーバ４、および複数の受信装置５を有している。
【００２８】
放送局２は、請求項の放送局の一例であり、放送スケジュールに沿って放送番組用のコンテンツを示すための信号波を放送波に重畳したアナログ放送信号を送出する。放送局管理サーバ３は、ＩＰ通信網１０を介しての受信装置５からの問い合わせに応じて、放送局２に対応する放送局ポータルサーバ４の接続先情報の提供などを行う。放送局ポータルサーバ４は、ＩＰ通信網１０を介して受信装置５からのコンテンツ配信要求があると、放送局２からの放送の内容を示すコンテンツデータ、そのコンテンツデータに関連するコンテンツデータ、これら以外のコンテンツデータ、またはコンテンツの種類を示すデータ（以下、これらをまとめて「コンテンツデータ」とする。）をＩＰ通信網１０経由で受信装置５へ配信する。受信装置５は、請求項の情報受信制御装置の一例であり、放送局２からの放送の受信状況に応じて、放送局２または放送局ポータルサーバ４のいずれかをコンテンツデータの取得先として決定して、コンテンツデータを受信する。また、放送局ポータルサーバ４は、請求項の情報送信制御装置の一例であり、受信装置５における放送局２からの放送の受信状況に応じて、受信装置５に対してコンテンツデータを送信する。
【００２９】
ＩＰ通信網１０は、放送局２の放送波以外の通信手段の一例であり、放送局管理サーバ３、放送局ポータルサーバ４、ならびに受信装置５間で通信を行うための通信網である。このＩＰ通信網１０は、たとえば、ＴＣＰ／ＩＰなどの通信プロトコルを利用したインターネット、ＣＡＴＶ、専用線、ＶＰＮ（仮想ＬＡＮ）、ＷＡＮなどのいずれか、もしくはそれらを組み合わせたネットワークで構成されていてもよい。なお、ＩＰ通信網１０には、ＩＰ通信以外の他の通信プロトコルを利用したネットワークが含まれていてもよい。
【００３０】
（放送局２の構成）
図２は、図１に示す放送局２の構成例を示すブロック図である。放送局２は、アナログ放送送信部２１、放送用コンテンツＤＢ２２、および放送用スケジュールＤＢ２３を主要な構成要素としている。なお、放送用コンテンツＤＢ２２、放送用スケジュールＤＢ２３は記憶部２４に記憶されており、記憶部２４は、たとえば不図示のＨＤＤ(Hard Disk Drive)やフラッシュメモリなどの記憶装置から構成される。
【００３１】
アナログ放送送信部２１は、放送用コンテンツＤＢ２２に格納されているコンテンツデータである放送用コンテンツを、放送用スケジュールＤＢ２３に格納されているスケジュールにしたがってアナログ放送として送信する。ここで、放送用コンテンツとは、放送がラジオ放送である場合はアナログ放送用の音声データであり、放送がテレビ放送である場合は、アナログまたはデジタル放送用の音声データおよび画像データである。
【００３２】
（放送局管理サーバ３の構成）
図３は、図１に示す放送局管理サーバ３の構成例を示すブロック図である。放送局管理サーバ３は、制御部３１、記憶部３２、および通信制御部３３を備えている。制御部３１は、不図示のＣＰＵ(Central Processing Unit)、不図示のＲＯＭ(Read Only Memory)、不図示のＲＡＭ(Random Access Memory)、不図示のハードディスクまたはフラッシュメモリなどの記憶部位などを備えており、ＣＰＵがＲＯＭ、ハードディスク、および／またはフラッシュメモリなどの記憶部位に格納されている各種プログラムを不図示のバスを介してＲＡＭに読み出して協働して実行する。それにより、制御部３１には、機器認証部４１、地域特定処理部４２、周波数情報提供部４３、ポータルサーバ特定部４４の各構成が機能的に実現されている。また、記憶部３２は、位置情報変換ＤＢ５１、全放送局情報ＤＢ５２、およびチューナＩＣ情報ＤＢ５３を有している。また、記憶部３２は、たとえば不図示のＨＤＤやフラッシュメモリなどの記憶装置から構成される。通信制御部３３は、受信装置５、放送局ポータルサーバ４などの外部機器とＩＰ通信網１０を介して通信を行うための通信インターフェースである。
【００３３】
制御部３１を構成する各部について説明する。機器認証部４１は、受信装置５が情報配信システム１において正当な機器であるか否かを認証する。情報配信システム１では、予め発行可能な認証用データを受信装置５および機器認証部４１の所定の記憶領域に記憶させ、「機器ＩＤ」の照合をこれらの間で実行することで、受信装置５の機器認証を行うことが可能である。
【００３４】
地域特定処理部４２は、位置情報変換ＤＢ５１の情報を参照して受信装置５が設置されている地域を特定する。周波数情報提供部４３は、受信装置５が設置されている地域で受信可能な放送局２の周波数情報について全放送局情報ＤＢ５２を参照して特定し、周波数リストを生成する処理を実行する。この周波数リストは受信装置５に送信され、受信装置５は、この周波数リストに基づいて放送局２の選局を行う。
【００３５】
ポータルサーバ特定部４４は、受信装置５から受信した周波数情報に含まれる周波数の放送局２に対応する放送局ポータルサーバ４を特定し、放送局ポータルサーバ４の接続情報を送信する処理を実行する。通信制御部３２は、受信装置５、放送局ポータルサーバ４などの外部機器とＩＰ通信網１０を介して通信を行うための通信インターフェースである。位置情報変換ＤＢ５１は、ＩＰアドレス、郵便番号、住所などの位置情報から受信装置５の設置位置を特定できる情報が少なくとも格納されているデータベースである。
【００３６】
全放送局情報ＤＢ５２は、情報配信システム１に含まれる各放送局２に関するデータが格納されているデータベースである。図４は、図３に示す全放送局情報ＤＢ５２に格納されているデータの一例を示す図である。図４の上方には、放送局２の情報を管理するためのテーブルが示されている。このテーブル（上方のテーブル）には、「放送局ＩＤ」、「放送局名」、「コールサイン」、「放送局ポータルサーバＵＲＬ」などの情報が少なくとも格納されている。「放送局ＩＤ」には、情報配信システム１内において、放送局２の周波数と放送局ポータルサーバ４との対応付けが一意に識別される識別情報が含まれている。「放送局名」には、放送局ポータルサーバ４に対応する放送局２の名称が含まれている。「コールサイン」には、放送局ポータルサーバ４に対応する放送局２の国際電気通信条約に基づいて発行されている識別番号が含まれている。「放送局ポータルサーバＵＲＬ」には、放送局ポータルサーバ４のホームページなどのＵＲＬが含まれている。したがって、放送局情報ＤＢ４４の「放送局ＩＤ」を参照することにより、放送局ＩＤに関連付けられている「放送局名」、「コールサイン」、「放送局ポータルサーバＵＲＬ」などを一意に決定することができる。
【００３７】
図４の下方には、放送局２の視聴エリア情報を管理するテーブルが示されている。このテーブル（下方のテーブル）には、「都道府県コード」、「市区町村コード」、「郵便番号」、「周波数」、「放送局ＩＤ」などの情報が格納されている。「都道府県コード」には、情報配信システム１内において、日本の都道府県を一意に識別できる番号情報が含まれている。「市区町村コード」には、情報配信システム１内の「都道府県コード」との組み合わせにより日本の市区町村を一意に識別できる番号情報が含まれている。「郵便番号」には、「都道府県コード」および「市区町村コード」により一意に特定される地域の郵便番号情報が含まれている。「周波数」には、「都道府県コード」および「市区町村コード」により特定される地域において受信できる放送局２からの放送波の周波数情報が含まれている。「放送局ＩＤ」には、情報配信システム１内において、放送局２の周波数から放送局ポータルサーバ４を一意に識別できる識別情報が含まれている。なお、図４中の上方に示したテーブルと下方に示したテーブルとはこの「放送局ＩＤ」により関連付けがなされている。前述した周波数リストは、周波数と放送局ＩＤとが対応付けられた情報であり、図４に示す全放送局情報ＤＢ５２にも周波数リストの情報が反映されている。
【００３８】
チューナＩＣ情報ＤＢ５３は、情報配信システム１において使用される受信装置５の機器情報が少なくとも格納されているデータベースである。図５は、図３に示すチューナＩＣ情報ＤＢ５３に格納されているデータの一例を示す図である。チューナＩＣ情報ＤＢ５３には、「チューナ情報識別」、「受信制御装置メーカコード」、「受信制御装置型番」、「チューナ製造メーカ名」、「チューナ型番」、「チューナファームバージョン」、「受信レベル算出用計数」などの情報が少なくとも格納されている。「チューナ情報識別」には、情報配信システム１において、受信装置５のチューナ９２を一意に識別できる識別情報が含まれている。「受信制御装置メーカコード」には、受信装置５の製造メーカを一意に識別できる識別情報が含まれている。「受信制御装置型番」には、受信装置５の型番を一意に識別できる識別情報が含まれている。「チューナファームバーション」には、受信装置５のチューナ９２についてのファームウェアのバージョン情報が含まれている。「受信レベル算出用計数」には、チューナ９２に関する各種パラメータの特性に応じて算出される変換計数が含まれている。したがって、「チューナ情報識別」が後述するように特定されれば、チューナＩＣ情報ＤＢ５３を参照することにより、「チューナ情報識別」に関連付けられた「受信制御装置メーカコード」、「受信制御装置型番」、「チューナ製造メーカ名」、「チューナ型番」、「チューナファームバージョン」、「受信レベル算出用計数」が一意に特定できる。
【００３９】
（放送局ポータルサーバ４の構成）
図６は、図１に示す放送局ポータルサーバ４の構成例を示すブロック図である。放送局ポータルサーバ４は、制御部６１と、記憶部６２と、通信制御部６３とを備えている。制御部６１は、不図示のＣＰＵ、不図示のＲＯＭ、不図示のＲＡＭ、不図示のハードディスクまたはフラッシュメモリなどの記憶部位などを備えており、ＣＰＵがＲＯＭ、ハードディスク、および／またはフラッシュメモリなどの記憶部位に格納されている各種プログラムを不図示のバスを介してＲＡＭに読出して協働して実行する。それにより、制御部６１には送信制御部７１、コンテンツ生成部７２の各構成が機能的に実現される。記憶部６２は、コンテンツＤＢ８１を有している。記憶部６２は、たとえば不図示のＨＤＤやフラッシュメモリなどの記憶装置から構成される。通信制御部６３は、ＩＰ通信網１０を介して、受信装置５からのコンテンツ配信要求を受信し、受信装置５へコンテンツデータを送信する通信インターフェースで構成される。
【００４０】
送信制御部７１は、コンテンツＤＢ８１などを参照し、コンテンツ配信要求をしてきた受信装置５へＩＰ通信網１０を介して所望のコンテンツデータの送信を行う。送信制御部７１は、受信装置５からコンテンツ配信要求があると、コンテンツ配信指示を示す信号をコンテンツ生成部７２に対して送る。
【００４１】
コンテンツ生成部７２は、送信制御部７１からコンテンツ配信指示を示す信号を受け取ると、コンテンツＤＢ８１を参照して、受信装置５に対して送信すべきコンテンツデータを生成する。ここで、受信装置５に対して送信されるコンテンツデータとしては、受信装置５が要求するコンテンツデータの他に、そのコンテンツデータの種類を示す情報、具体的には放送番組のカテゴリ情報、放送番組を構成する放送内容単位のカテゴリ情報を生成する。
【００４２】
コンテンツＤＢ８１は、種々のコンテンツデータが格納されているデータベースである。コンテンツＤＢ８１に記憶されているコンテンツデータには、放送局２が放送するコンテンツデータと同一内容のコンテンツデータの他に、放送局２が放送する番組に連動しているコンテンツデータ、放送終了後にも接続可能なコンテンツデータ、受信するエリアが限定されないコンテンツデータ、および上述したコンテンツデータの種類を示す情報などが記憶されている。具体的なコンテンツデータの種類としては、静止画像データ、動画像データ、音声データなどがある。なお、放送局２からコンテンツストリーム形式のデータをそのままコンテンツＤＢ８１に格納して、受信装置５へ提供するようにしてもよい。さらに、コンテンツＤＢ８１に、コンテンツの受信可否を判定するための放送局２からの放送波の受信レベルを示す閾値情報が格納されていてもよい。
【００４３】
（受信装置５の構成）
図７は、図１に示す受信装置５の構成を示すブロック図である。受信装置５は、放送局２、放送局管理サーバ３、放送局ポータルサーバ４からの受信情報を表示装置６、音声再生装置７へ出力する。なお、受信装置５は、表示装置６、音声再生装置７とは別個の装置としているが、表示装置６と音声再生装置７のうち少なくとも一方が受信装置５と同じ筐体内に具備されるようにしてもよい。また、受信装置５は、録画機能、録音機能を有していてもよい。
【００４４】
受信装置５は、操作入力部９１、チューナ９２、ＤＥＭＵＸ(DEMUltipleXer)部９３、デコード部９４、映像／音声出力部９５、ネットワーク接続部９６、受信状況検出部９７、情報記憶部９８、および制御部９９を主要な構成要素としている。ここで、制御部９９は、不図示のＣＰＵなどから構成される受信装置５全体を制御する中央演算処理装置である。また、上述のＣＰＵが不図示のＲＯＭ、ハードディスク、フラッシュメモリなどの記憶部位に格納されている各種プログラムを不図示のバスを介してＲＡＭに読み出し、これらのプログラムを実行することにより、操作入力部９１、チューナ９２、ＤＥＭＵＸ部９３、デコード部９４、映像／音声出力部９５、ネットワーク接続部９６、受信状況検出部９７、情報記憶部９８の各部と協働して受信装置５の各機能を実現している。
【００４５】
また、制御部９９は、受信可否判定部、受信許可維持部として機能するものであり、後述する受信状況検出部９７によって検出されたアナログ放送波の受信状況に基づいて放送局ポータルサーバ４からコンテンツを受信するか否かを所定の受信許可基準に基づいて判定すると共に、この判定結果に応じてコンテンツの受信を制御することができる。なお、コンテンツ受信可否判定、およびコンテンツ受信制御の詳細については後述する受信装置５の動作と共に説明する。
【００４６】
操作入力部９１は、ユーザからの操作入力（チャンネルの選局実行指示、自動選局実行指示、または受信状況検出指示など）を受け付けて、制御部９９へ出力する。操作入力部９１は、たとえばリモコン、タッチパネルおよび／または操作ボタンなどで構成されるが、音声入力などが行えるものとしてもよい。また、操作入力部９１は、赤外線などの無線信号（操作信号）を入力するものとしてもよい。ユーザが操作入力部９１を用いてチャンネルの選局実行指示、自動選局実行指示、または受信状況検出指示を入力すると、その指示に対応する信号が制御部９９に入力される。そして、制御部９９は、チャンネルの選局実行指示に対応する信号が入力されると、チューナ９２に対し、ユーザが選局したチャンネルとなるようにチューニング指示を送信する。また、制御部９９は、自動選局実行指示に対応する信号が入力されると、チューナ９２に対し、自動選局実行指示を送信する。また、制御部９９は、受信状況検出指示に対応する信号が入力されると、後述する受信状況検出部９７に対し、受信状況検出指示を送信する。
【００４７】
チューナ９２は、制御部９９からの上述のチューニング指示、自動選局実行指示により、放送局２のアナログ放送波をアンテナで受信し、受信したＲＦ(Radio Frequency)信号を復調し、映像／音声出力部９５へ出力する。なお、図７では、チューナ９２は、地上アナログラジオ放送および／または地上アナログテレビ放送を受信するために１つのみ図示したが、地上デジタルラジオ放送および／または地上デジタルテレビ放送、あるいはＢＳ放送（アナログ、デジタル）も受信する場合にはそれらのチューナ９２を備え、２つ以上のチューナ９２を備えるようにしてもよい。
【００４８】
ＤＥＭＵＸ部９３は、ＴＳ(Transport Stream)パケット形式でコンテンツが放送局ポータルサーバ４から送信されてきた場合、映像や音声などのストリームデータと、ＳＩ／ＰＳＩ(Service Information/Program Specific Information)などのセクション形式のデータとに分離する。また、デジタル放送に対応したチューナ９２を別途有する場合には、ＤＥＭＵＸ部９３は、デジタル放送波からデータを分離するためにも使用される。
【００４９】
デコード部９４は、ネットワーク接続部９６から受信したデータをデコードし、映像／音声出力部９５に供給する。デコード部９４は、デコードしたこれらのデータを不図示の記憶部に供給して記憶させる。デコード部９４が記憶部に供給するデータは、映像信号、音声信号としてデコードせずに、データ信号としてそのまま供給するようにしてもよい。
【００５０】
映像／音声出力部９５は、チューナ９２から出力されたアナログデータとしての音声データおよび画像データを表示装置６および音声再生装置７に出力する。また、映像／音声出力部９５は、ネットワーク接続部９６から供給された番組データを不図示のＲＡＭに格納する。また、映像／音声出力部９５は、番組データを描画することでＥＰＧ情報を生成する。そして、映像／音声出力部９５は、デコード部９４からのビデオデータに基づいた画面および音声データを表示装置６および音声再生装置７に送出し、またはＥＰＧ情報に基づいた画面を生成し、表示装置６に送出する。
【００５１】
表示装置６は、映像／音声出力部９５から送出された画面を表示する。制御部９９からの記憶指示によりデコード部９４でデコードしたデータが不図示の記憶部に記憶される。なお、映像／音声出力部９５への出力方法は上記に限らず、番組データをＲＡＭに格納しないで表示装置６に直接出力させるようにしてもよい。また、映像／音声出力部９５は、ビデオデータに基づいた画面上に、ＥＰＧ情報に基づいた画面を合成した合成画面や、ビデオデータのみの画面、またはＥＰＧ情報のみの画面を表示装置６にそれぞれ出力するようにしてもよい。
【００５２】
ネットワーク接続部９６は、制御部９９との協働によりコンテンツ受信部として機能するものであり、ＩＰ通信網１０を介して放送局管理サーバ３または放送局ポータルサーバ４と通信を行う通信インターフェースである。ネットワーク接続部９６は、放送局ポータルサーバ４、または放送局管理サーバ３からのデータを受信し、デコード部９４にデータを送る。なお、ネットワーク接続部９６は、請求項のコンテンツ受信部の一例である。
【００５３】
受信状況検出部９７は、制御部９９から所定のタイミングに発生する受信状況検出指示、またはユーザが操作入力部９１を操作することで発生する受信状況検出指示により、受信装置５で受信するアナログ放送波の受信状況を検出する機能を有する。たとえば、受信状況検出部９７は、電界受信強度信号を生成できる電界受信強度信号生成回路（不図示）などから構成され、生成回路から得られる値が制御部９９に出力されるようにする。生成回路としては、たとえば上述したＲＳＳＩを検出するＲＳＳＩ回路を備える構成とし、ＲＳＳＩ回路から電界受信強度信号を得られるようにすることができる。なお、電界受信強度が検出できればどのような回路であってもよい。上述した電界受信強度信号生成回路から得られる電界受信強度信号を用いることで放送波の受信状況を検出することができる。その他にも受信状況検出部９７は、ＲＳＳＩ回路以外にも、Ｓメータ(Signal Meter)などで電波強度を取得できるようにしてもよい。また、受信状況検出部９７は、Ｓ／Ｎ比(SNR:Signal to Noise ratio)、マルチパス情報（Multipath Information）などを検出できるものでもよい。
【００５４】
情報記憶部９８は、ユーザについての登録情報や受信装置５についての機器情報、受信装置５の位置情報、放送局情報、および記録指示のあったコンテンツデータを格納している。ここでいうユーザについての登録情報とは、情報配信システム１を利用可能なユーザと関連付けられ、受信装置５に割り振られているＩＰアドレス、ユーザのユーザＩＤ、ユーザＩＤに関連付けられたパスワード、ユーザの住所、郵便番号、電話番号などの一部または全部である。また、受信装置５についての機器情報とは、受信装置５の機器ＩＤ情報（たとえば、受信装置５の製造メーカを識別するためのメーカコード、シリアル番号など）、機器種別情報（たとえば、受信装置５の型番情報など）、チューナ９２に関する情報（チューナＩＣ情報ＤＢ３７に格納されている「チューナ情報識別」、「チューナ型番」、「チューナファームバージョン」に対応）などである。また、受信装置５の位置情報とは、自装置が設置されている場所の郵便番号、電話番号、住所、自装置に割り振られているＩＰアドレスなどの一部または全部である。また、受信装置５の放送局情報とは、受信状況検出部９７で検出された値、検出日時を示す情報、検出された値に対応する放送局２の名称情報、放送局２の周波数情報、放送局２の放送エリア情報（たとえば、放送エリアを示す情報、フリンジエリアを示す情報など）および放送局２に対応する放送局ポータルサーバ４からコンテンツの受信可否を判定するための放送局２からの放送波の受信レベルを示す閾値情報などの一部または全部である。なお、閾値情報は、受信装置５に予め記憶されていてもよいし、放送局管理サーバ３、放送局ポータルサーバ４がこの閾値情報を有している場合には、これらのサーバから取得するようにしてもどちらでもよい。また、記録指示のあったコンテンツデータとは、ユーザが操作入力部９１を操作することにより、記録が指示されたコンテンツデータ、もしくは記録予約がなされ、記録されたコンテンツデータのことである。
【００５５】
また、受信装置５は、放送局ポータルサーバ４からＴＳパケット形式でデータが送信されてきた場合には、以下の処理をするようにしてもよい。すなわち、制御部９９は、ＴＳパケット形式のコンテンツデータが放送局ポータルサーバ４から送信されてきた場合、制御部９９は、ネットワーク接続部９６で受信したＴＳパケットデータをＤＥＭＵＸ部９３に供給し、映像や音声などのストリームデータと、ＳＩ／ＰＳＩなどのセクション形式のデータとに分離し、分離したそれぞれのデータをデコード部９４によりデコードし、映像／音声出力部９５により表示装置６または音声再生装置７へ出力させるようにしてもよい。
【００５６】
（第１の実施例に係る配信許可を維持するための受信制御処理）
図８は、図１に示す受信装置５が実行するコンテンツ受信制御処理のフローチャートである。この図８に示す処理は、情報受信装置５の電源がＯＮになることにより開始される（ＳＴＡＲＴ）。
【００５７】
受信装置５の制御部９９は、受信する放送局２の選局指示があるか否かを判定する（Ｓ１）。放送局２の選局指示は、たとえばユーザが操作入力部９１を用いて特定の放送番組の受信操作、または選局操作などを行った場合に発効される。
【００５８】
放送局２の選局指示を受けた受信装置５の制御部９９は、その選局された放送局２が放送するアナログ放送を、チューナ９２によって受信する（Ｓ２）。そして、制御部９９は、Ｓ２において選局された放送局２が、ＩＰ放送で配信されているか否かの判定を行う（Ｓ３）。なお、このＳ３の判定処理の詳細については後述する。制御部９９は、Ｓ３の判定において、ＩＰ放送が配信されていないと判定した場合（Ｓ３でＮＯ）には、アナログ放送で受信したコンテンツを受信して出力し（Ｓ４）、選局切替があるか否かの選局切替判定（Ｓ５）をし、選局切替があると判定した場合（Ｓ５でＹＥＳ）にはＳ２の処理へ戻る。一方、制御部９９は、選局切替がないと判定した場合（Ｓ５でＮＯ）には、視聴を終了するか否かの視聴終了判定（Ｓ６）をさらに行う。そして、制御部９９は、視聴を終了しないと判定した場合（Ｓ６でＮＯ）には、Ｓ５の選局切替判定を繰り返し、視聴を終了すると判定した場合（Ｓ６でＹＥＳ）には、受信制御処理を終了する（ＥＮＤ）。
【００５９】
一方、制御部９９は、Ｓ３の判定において、ＩＰ放送が配信されていると判定した場合（Ｓ３でＹＥＳ）には、放送波の受信レベルが閾値以上であるか否かを所定のタイミングで判定する（Ｓ７）。具体的には、制御部９９は、受信状況検出部９７により放送局２の放送波の受信レベルを検出すると共に、その放送波の受信レベルを示す閾値情報について、情報記憶部９８を参照して取得し、これらを比較することにより判定を行う。制御部９９は、放送波の受信状況を示す値が閾値以上であると判定した場合には、放送局ポータルサーバ４に接続し、ＩＰ放送によるコンテンツを受信し出力する（Ｓ９）。具体的には、制御部９９は、ＩＰ放送受信部１５を用いてＩＰ放送を受信して、表示部１８及び音声出力部１９を用いて音声又は映像の出力を行う。一方、制御部９９は、放送波の受信状況を示す値が閾値以上ではない、すなわち閾値未満であると判定した場合には、アナログ放送波によってコンテンツを受信し、出力する（Ｓ８）。そして、制御部９９は、Ｓ８の処理後は、Ｓ７の処理へ戻ることにより、受信中のコンテンツに対して所定の間隔（例えば３分間隔）で、放送局２の放送波の受信レベルを検出し、その放送波の受信レベルと閾値の比較をする。
【００６０】
Ｓ９においてＩＰ放送によるコンテンツの受信を開始した後、または受信したときに制御部９９は、Ｓ９で受信しているＩＰ放送によるコンテンツが、所定のコンテンツであるのか否かの判定を行う（Ｓ１０）。ここで、所定のコンテンツとは、たとえば、番組単位や番組内における所定の内容単位など、時間で区切ることのできるコンテンツである。
【００６１】
制御部９９は、Ｓ９で受信しているコンテンツが所定のコンテンツではないと判定した場合（Ｓ１０でＮＯ）には、Ｓ７の処理に戻る。このため所定のコンテンツではないコンテンツは、閾値に対する放送の受信レベルに応じて逐次放送波による受信とＩＰ放送による受信とが切り替わることとなる。一方、制御部９９は、Ｓ９で受信しているコンテンツが所定のコンテンツであると判定した場合（Ｓ１０でＹＥＳ）には、その所定のコンテンツの受信が終了するまで、ＩＰ放送によるそのコンテンツの配信許可を維持する（Ｓ１１）。そして、制御部９９は、Ｓ１０で配信許可が維持されている所定のコンテンツの受信が終了したか否かを判定する（Ｓ１２）。そして、制御部９９は、Ｓ１２の所定のコンテンツの受信が終了したと判定した場合にはＳ７の処理に戻り、終了していないと判定した場合には、さらに選局切替の有無を判定する（Ｓ１３）。制御部９９は、選局切替があると判定した場合にはＳ２の処理へ戻り、選局切替がないと判定した場合には視聴を終了するか否かの視聴終了判定（Ｓ１４）をさらに行う。制御部９９は、視聴を終了しないと判定した場合（Ｓ１４でＮＯ）には、Ｓ１２の判定へ戻り、視聴を終了すると判定した場合（Ｓ１４でＹＥＳ）には、受信制御処理を終了する（ＥＮＤ）。
【００６２】
（Ｓ３のＩＰ放送配信有無判定処理の詳細について）
図９は、図８のフローチャートの処理におけるＳ３の処理の詳細を示すフローチャートである。図９のフローチャートの処理において、図８のＳ３の処理に移行されると、受信装置５は以下の処理を開始する（ＳＴＡＲＴ）。
【００６３】
受信装置５の制御部９９は、放送局２の周波数および放送局ＩＤに対応する放送局ポータルサーバ４の有無を確認するために、放送局２に対応する周波数および放送局ＩＤを放送局管理サーバ３へ送信する（Ｓ２１）。なお、このＳ２１において送信する情報は、たとえばラジオ放送の場合であれば、ＡＭやＦＭといったバンド種別を同時に送信するようにしてもよい。放送局管理サーバ３の制御部３１は、受信装置５から周波数および放送局ＩＤの情報を取得する（Ｓ２２）。そして、制御部３１は、全放送局情報ＤＢ５２を参照してＳ２２で取得した周波数および放送局ＩＤに関連付けられている放送局ポータルサーバ４のＵＲＬ情報を検索し、その検索結果を受信装置５への送信情報として設定し（Ｓ２３）、その検索結果を受信装置５へ送信する（Ｓ２４）。すると、受信装置５の制御部９９は、取得した検索結果に基づいて放送局２に対応する放送局ポータルサーバ４の有無を確認して（Ｓ２５）、処理を終了する（ＲＥＴＵＲＮ）。なお、放送局管理サーバ３が問い合わせを行った放送局２の放送波の受信可否判定に用いる閾値情報を有する場合、受信装置５の制御部９９は、図９に示したＩＰ放送配信有無判定処理と共に、その閾値情報を取得するようにしてもよい。
【００６４】
（Ｓ７の受信可否判定とＳ１１の受信許可の維持の関係について）
図１０は、図７に示す受信状況検出部９７により検出される受信レベルＲと、制御部９９が設定するＩＰ放送の受信可否を判断するための受信許可基準である閾値Ｔと、制御部９９が行う受信許可維持との関係を時間の遷移と共に示した図である。なお、図１０の（ａ）および（ｂ）に示す例では、番組ＢＢが所定のコンテンツであることを前提として説明する。
【００６５】
図１０の（ａ）に示す例では、制御部９９が、ＩＰ放送によって受信するコンテンツのうち、番組ＢＢが所定のコンテンツであるため、放送局２の放送波の受信レベルＲが閾値Ｔ以上である期間（ｔ１〜ｔ３の期間）が番組ＢＢの受信中に含まれており、ｔ３〜ｔ４の期間で受信不可となる受信レベルＲになっても受信可能の判定を維持し続けている。また、図１０の（ｂ）に示す例では、番組ＢＢの冒頭部分（ｔ１１〜ｔ１２の期間）は、受信レベルＲが閾値Ｔ未満なので、受信不可の判定であるが、その後の期間（ｔ１２〜ｔ１３）において、受信レベルＲが閾値Ｔ以上であるため、さらにその後の期間（ｔ１３〜ｔ１４）において受信レベルＲが閾値Ｔ未満であっても、番組ＢＢの受信が完了するまでは受信可能の判定結果が維持される。
【００６６】
（図１０の変形例）
図１１は、図１０の変形例であり、受信するコンテンツの種類と受信可否判定方法の関係を説明するための図である。図１１に示す例では、ＩＰ放送による受信の許可が維持されるコンテンツの単位が図１０のような放送番組ＡＡ、ＢＢ、ＣＣ、ＤＤといった１つの放送番組に対応する単位ではなく、その放送番組を構成する内容（図１１におけるトーク１、楽曲１、ＣＭ１、楽曲２、トーク３）により細かく区分された単位での受信制御を行っている。なお、図１１に示す例では、所定のコンテンツが楽曲であるか否かを前提として判定を行っていることを前提として説明する。なお、所定のコンテンツは楽曲以外のトーク、ニュースなどであってもよい。
【００６７】
図１１に示す例では、制御部９９が、楽曲１の受信期間ｔ２２〜ｔ２３の期間において、放送局２の放送波の受信レベルＲが閾値Ｔ以上であるため、ｔ２３〜２４の期間で受信レベルＲが閾値Ｔ未満となっていても、受信可能の判定を維持し続けている。また、楽曲２の受信期間ｔ２５〜ｔ２８の期間において、ｔ２６〜ｔ２７の期間において、放送局２の放送波の受信レベルＲが閾値Ｔ以上であるため、その後のｔ２７〜２８の期間で受信レベルＲが閾値Ｔ未満となっていても、受信可能の判定を維持し続けている。
【００６８】
（第２の実施例に係る受信許可を維持するための受信制御処理について）
図１２は、本発明の第２の実施例に係る受信許可を維持するための受信制御処理を示すフローチャートである。図１２の処理において、図８に示すフローチャートと同一の処理については同一のステップ番号を付し、その説明を簡略化または省略する。なお、本発明の第２の実施例では、操作入力部９１をユーザが操作することによって、制御部９９へコンテンツの受信記録指示を行い、この受信記録指示を受けた制御部９９は、コンテンツ記録制御部として機能することができる。
【００６９】
図１２に示す処理では、図８に示す処理と同様にＳ１〜Ｓ８までの各処理が行われる。そして、Ｓ９の処理（ＩＰ放送の受信及び出力）が行われた場合、制御部９９は、Ｓ９で受信しているコンテンツの記録処理が開始されたか否かを判定する（Ｓ３１）。具体的には、操作入力部９１をユーザが操作することによって、制御部９９へコンテンツの受信記録指示が送信され、その指示を受けた制御部９９が、情報記憶部９５に受信している所定のコンテンツの記録処理を開始する。そして、制御部９９は、Ｓ３１の判定で記録されているコンテンツの単位で記録処理が終了するまで、受信可否判定結果を維持する（Ｓ３２）。そして、制御部９９は、コンテンツの単位で受信処理が終了したか否かを判定する（Ｓ３３）。ここで、Ｓ３３のコンテンツの単位で受信処理が終了したか否か判定方法とは、受信しているパケットデータ内にコンテンツの終了を示すフラグを設けて、そのフラグの有無を受信するパケットデータ毎に判定する方法、放送局ポータルサーバ４からコンテンツのデータとは別にそのコンテンツの種類を示す情報を送信させて、現在受信しているコンテンツの種類を示す情報との異同により受信処理が終了したか否かを判定する方法などがある。なお、Ｓ３３は、受信処理の終了判定ではなく、記録処理の終了判定としてもよく、その場合、たとえば、ユーザが操作入力部９１を操作して記録処理の終了が指示された場合に、記録処理が終了したと判定するようにしてもよい。そして、制御部９９は、Ｓ３３の処理で受信処理が終了したと判定した場合（Ｓ３３でＹＥＳ）には、Ｓ７の処理に戻り、受信処理が終了していないと判定した場合（Ｓ３３でＮＯ）には、選局切替判定処理（Ｓ１３）、視聴終了処理（Ｓ１４）を行って、処理を終了する（ＥＮＤ）。
【００７０】
（Ｓ７の受信可否判定とＳ３２の受信許可維持処理について）
図１３は、本発明の第２の実施例に係る受信状況検出部９７により検出される受信レベルＲと、制御部９９が設定するＩＰ放送の受信可否を判断するための受信許可基準である閾値Ｔと、制御部９９が行う受信許可維持との関係を時間の遷移と共に示した図である。なお、この図１３の例では番組ＢＢが所定のコンテンツに該当するものとして説明する。
【００７１】
図１３に示すように、記録開始の処理がｔ３２の時点でなされており、ｔ３２〜ｔ３３の期間において、番組ＢＢは閾値Ｔ以上の受信レベルＲがあり、その後のｔ３３の時点から閾値Ｔ未満の受信レベルＲとなっているが、番組ＢＢの受信が終了するｔ３４の時点まで受信許可が維持されている。
【００７２】
（第３の実施例に係る配信許可を維持するための受信制御処理）
図１４および図１５は、本発明の第３の実施例に係る受信装置５が実行する受信制御処理を示す図である。図１４の処理において、図８に示すフローチャートと同一の処理については同一のステップ番号を付し、その説明を簡略化または省略する。図１４は放送の予約を行うときの処理であり、受信装置５の制御部９９は、予約を行うための放送局２の選局指示があるか否かを判定する（Ｓ４１）。
【００７３】
予約のための選局指示を受けた受信装置５の制御部９９は、その選局された放送局２が放送するアナログ放送を、チューナ９２によって受信する（Ｓ２）とともに、予約の設定がされる（Ｓ４２）。Ｓ４２における予約の設定とは、ユーザが操作入力部９１を用いて特定の放送番組に対する記録予約または聴取予約を行うことである。Ｓ４２において予約設定がされた後、Ｓ３においてＩＰ放送が配信されていると判定した場合（Ｓ３でＹＥＳ）には、制御部９９は受信状況検出部９７により予約設定時の受信レベルを取得し（Ｓ４３）、予約処理を終了する（ＥＮＤ）。
【００７４】
図１５は、図１４に示すＳ４３の処理によって設定された予約を実行するときの処理である。受信装置５の制御部９９は図示しない計時部等を参照し現在時刻が予約設定された開始時刻であるか否かを判定する（Ｓ４５）。Ｓ４５における判定は開始時刻ちょうどではなく開始時刻にコンテンツの出力やコンテンツの記録を行うことができるように、開始時刻より所定時間前であってもよい。Ｓ４５において開始時刻である場合（Ｓ４５でＹＥＳ）には、制御部９９はＳ４３で取得した予約時の放送受信レベルが所定の閾値以上であるか否かを判定する（Ｓ４６）。
【００７５】
Ｓ４６において、予約時の放送受信レベルが閾値未満であると判定された場合（Ｓ４６でＮＯ）は、予約されたコンテンツをチューナ９２により受信したアナログ放送として受信し、映像/音声出力部９５より出力する（Ｓ４７）。また、設定された予約が記録予約であった場合は、受信したアナログ放送によるコンテンツを情報記憶部９８に記録開始する。Ｓ４６において、予約時の放送受信レベルが閾値以上であると判定された場合（Ｓ４６でＹＥＳ）は、予約されたコンテンツは、ＩＰ放送による配信が許可され、ネットワーク接続部９６を用いて取得したＩＰ放送として受信し、映像/音声出力部９５より出力する。また、設定された予約が記録予約であった場合は、受信したＩＰ配信によるコンテンツを情報記憶部９８に記録開始する。さらに予約されたコンテンツがＩＰ放送による配信が許可されている場合は、予約されたコンテンツの受信が終了するまでＩＰ配信許可が維持される（Ｓ４９）。Ｓ４７またはＳ４９の処理に基づくＳ４８の処理中において、制御部９９は予約されたコンテンツが終了したか否かを判定し（Ｓ５０、Ｓ５１）、終了したと判定された場合は本処理を終了する（ＥＮＤ）。
【００７６】
図１６は、本発明の第３の実施例における受信状況検出部９７により検出される受信レベルＲと、制御部９９が設定するＩＰ放送の受信可否を判断するための受信許可基準である閾値Ｔと、制御部９９が行う受信許可維持との関係を時間の遷移と共に示した図である。なお、この図１６の例では番組ＢＢが所定のコンテンツに該当するものとして説明する。
【００７７】
図１６の（ａ）に示すように、番組ＢＢの予約設定処理がｔ４２の時点でなされており、この時点において、閾値Ｔ以上の受信レベルＲがあることから受信可能と判定し、その後のｔ４４の時点から番組ＢＢが終了するｔ４５の時点までは閾値Ｔ未満の受信レベルＲとなっているが、番組ＢＢの受信が終了するｔ４５の時点まで受信許可が維持されている。
【００７８】
また、図１６の（ｂ）に示すように、番組ＢＢの予約設定処理がｔ５２の時点でなされており、この時点において、閾値Ｔ以上の受信レベルＲがあることから受信可能と判定し、ｔ５３〜ｔ５４の期間において、番組ＢＢは閾値Ｔ未満の受信レベルであるが、番組ＢＢが終了するｔ５６の時点までは受信許可が維持されている。
【００７９】
以上、受信装置５および受信装置５が実行する情報受信制御方法によれば、制御部９９（受信可否判定部および受信許可維持部）が、放送局２により放送される放送番組と同一または関連するコンテンツの、放送局２からの放送波以外の通信手段であるＩＰ通信網１０を介した受信について、放送波の受信レベルＲ（放送波の受信状況）が閾値Ｔ（所定の受信許可基準）を満たすか否かを所定のタイミングで判定し、この判定によりコンテンツの受信が許可された場合、ＩＰ通信網１０を介してネットワーク接続部９６（受信部）でコンテンツを受信し、このコンテンツの受信終了までの期間、受信可否判定による所定のタイミングでの判定に係らず受信を許可させるため、受信レベルＲが変化してもコンテンツの受信終了までは判定が変更されることが無く、視聴途中に頻繁に受信可否判定が異なるような不都合が発生しない。すなわち、この受信装置５および受信装置５が実行する情報受信制御方法によれば、放送局２から受信する放送波の受信状況を考慮すると共に、ＩＰ通信網１０などの他のネットワークを介して提供されるコンテンツを適切に受信することができる。
【００８０】
また、制御部９９は、コンテンツ記録制御部として、情報記憶部９５にコンテンツの記録の制御を行うようにしてもよい。その場合、制御部９９は更に受信許可維持部としても機能し、情報記憶部９５にコンテンツの記録が行われている場合、その記録が行われているコンテンツの受信が終了するまでの期間、放送局２の放送波の受信レベルＲに基づく受信可否判定の判定結果に係らず許可させるため、記録途中に頻繁に受信可否判定が異なるような不都合が発生しない。
【００８１】
また、制御部９９は、コンテンツ予約制御部として、コンテンツの聴取または記録の予約の制御を行うようにしてもよい。その場合、制御部９９は更に受信許可維持部としても機能し、コンテンツの予約が行われている場合、予約されたコンテンツの受信が終了するまでの期間、受信可否判定の判定結果に係らず許可させることができるため、予約したコンテンツの記録中に頻繁に受信可否判定が異なるような不都合が発生しない。
【００８２】
また、制御部９９は、受信許可維持部として、コンテンツ毎の受信について、コンテンツの受信終了までの期間許可させるようにしてもよい。これにより、コンテンツの受信が許可されたコンテンツ単位毎に、その後の放送波の受信状況の変化に係らず、安定して受信することが可能となる。
【００８３】
あるいは、制御部９９は、受信許可維持部として、コンテンツを構成する放送内容単位毎の受信について、放送内容単位毎の受信終了までの期間許可させるようにしてもよい。これにより、受信が許可された放送内容単位毎に、その後の放送波の受信状況の変化に係らず、安定して受信することが可能となる。
【００８４】
また、受信可否判定部としての制御部９９は、閾値Ｔ（所定の受信許可基準）に基づく判定を、コンテンツの受信開始時に計測された放送波の受信状況または受信開始前であって最新の放送波の受信状況に基づき行うようにしてもよい。これにより、コンテンツの受信時における受信可否判定がコンテンツ毎に判断されることになるため、より好ましいものとなる。
【００８５】
また、受信可否判定部としての制御部９９は、閾値Ｔ（所定の受信許可基準）に基づく判定を、コンテンツの記録開始時に計測された放送波の受信状況または記録開始前であって最新の放送波の受信状況に基づき行うようにしてもよい。これにより、コンテンツの記録を行う際に、受信可否判定がコンテンツ毎に判断されることになるため、より好ましいものとなる。
【００８６】
また、受信可否判定部としての制御部９９は、閾値Ｔ（所定の受信許可基準）に基づく判定を、コンテンツの予約指示時に計測された放送波の受信状況、予約指示前であって最新の放送波の受信状況、予約に基づくコンテンツの受信開始時に計測された放送波の受信状況、予約に基づくコンテンツの受信開始前であって最新の放送波の受信状況のいずれかの受信状況に基づき行うようにしてもよい。これにより、コンテンツの予約記録を行う際に、受信可否判定がコンテンツ毎に判断されることになるため、より好ましいものとなる。
【００８７】
なお、上述した受信装置５の機能を放送局ポータルサーバ４側が有するようにしてもよい。すなわち、情報送信制御装置としての放送局ポータルサーバ４の制御部６１を、放送局２により放送される放送番組と同一または関連するコンテンツの、放送局からの放送波以外の通信手段であるＩＰ通信網１０を介した受信装置５への送信について、受信装置５における放送波の受信状況が閾値Ｔ（所定の送信許可基準）を満たすか否かを所定のタイミングで判定する送信可否判定部として機能させる。そして、送信制御部７１を、その送信可否判定部の判定によりコンテンツの送信が許可された場合、ＩＰ通信網１０を介して受信装置５にコンテンツを送信するコンテンツ送信部として機能させる。さらに、制御部６１を、その送信制御部７１によるコンテンツの送信を、コンテンツの送信終了までの期間、送信可否判定部による所定のタイミングでの判定に係らず許可させる送信許可維持部として機能させるものとしてもよい。これにより、上述した受信装置５の制御部９９と同様の効果を奏することができるため、この放送局ポータルサーバ４および放送局ポータルサーバ４が実行する情報送信制御方法によれば、受信装置５における放送局２から受信する放送波の受信状況を考慮し、ＩＰ通信網１０などの他のネットワークを介して提供されるコンテンツを適切に受信装置５へ受信させる（送信する）ことが可能となる。
【００８８】
また、上述した制御部６１は、送信許可維持部として、コンテンツ毎の送信について、コンテンツの送信終了までの期間、許可させるようにしてもよい。これにより、コンテンツの送信が許可されたコンテンツ単位毎に、その後の受信装置５における放送波の受信状況の変化に係らず、安定して送信することが可能となる。
【００８９】
あるいは、上述した送信許可維持部としての制御部６１は、コンテンツを構成する放送内容単位毎の送信について、放送内容単位毎の送信終了までの期間、許可させるようにしてもよい。これにより、送信が許可された放送内容単位毎に、その後の受信装置５における放送波の受信状況の変化に係らず、安定して送信することが可能となる。
【００９０】
また、上述した送信可否判定部としての制御部６１は、閾値Ｔ（所定の送信許可基準）に基づく判定を、コンテンツの送信開始前に取得した情報受信制御装置における放送波の受信状況に基づき判定することとしてもよい。これにより、コンテンツの送信時に近い時点における受信装置の受信レベルＲに基づく送信可否判定がコンテンツ毎に判断されることになるため、より好ましいものとなる。
【００９１】
（その他の実施の形態について）
本発明の実施の形態は、その要旨を逸脱しない限り、上述した態様以外にも様々に変更が可能である。たとえば、受信装置５の制御部９９は、放送局ポータルサーバ４から送信されるコンテンツの種類、またはコンテンツの内容単位の種類に応じて閾値を上下させるようにしたが、その他にも、特定の放送番組のみ閾値を変更するように制御してもよい。
【００９２】
また、放送局ポータルサーバ４から送信されるコンテンツの種類を示す情報、コンテンツを構成する内容単位の種類を示す情報を受信するタイミングについては、そのコンテンツを構成する単位毎（放送番組毎、または放送番組を構成する内容単位毎）の最初のパケット受信時が好ましいが、放送局ポータルサーバ４から送信されるコンテンツを視聴する際に、必ずしもそのコンテンツの冒頭から視聴するとは限らないため、受信装置５がコンテンツデータを放送局ポータルサーバ４より受信するタイミングで提供されるようにしてもよい。すなわち、コンテンツが途中のものであっても、そのコンテンツの種類を示す情報、コンテンツを構成する内容単位の種類を示す情報が提供されるようにしてもよい。
【００９３】
また、受信制御装置５側での受信可否判定の一部または全部を放送局ポータルサーバ４側で実行するようにしてもよい。また、放送局管理サーバ３に、放送局ポータルサーバ４の機能を有するように構成してもよいし、逆に放送局ポータルサーバ４に放送局管理サーバ３の機能を有するように構成してもよい。
【００９４】
また、上述の実施の形態は、放送の対象を、ラジオまたはテレビのアナログ放送として説明したが、放送の対象が、ラジオまたはテレビのデジタル放送であってもよい。また、電波を介しての放送とＩＰ放送との両方が存在するものであれば、上述の実施の形態を適用することは可能である。そのようなものとしては、たとえばＢＳ放送などの他の放送が挙げられる。
【００９５】
また、本発明における処理を、受信装置５の受信位置や受信状態によって実施することとしてもよい。例えば受信装置５が弱電界地域やフリンジエリアにある場合のみに、本発明の処理を適用させてもよい。
【００９６】
また、上述の実施の形態は、処理を適用するコンテンツを所定のコンテンツとして、予め特定されたコンテンツに対して適用することとしたが、全てのコンテンツに適用させてもよい。
【００９７】
また、図１に示す情報配信システム１の例では、１つの放送局２、１つの放送局管理サーバ３、１つの放送局２に対応する１つの放送局ポータルサーバ４、および２つの受信装置５を示したが、複数の放送局２、複数の放送局管理サーバ３、複数の放送局ポータルサーバ４を有するものであってもよい。また、放送局２が想定している受信エリアは、県域放送の場合には、都道府県単位別が基本であり、広域放送の場合には複数の都道府県にまたがっている。しかしながら、想定している受信エリアは、これらに限られず、たとえば１つまたは複数の市区町村別を受信エリアとしてもよく、複数の国を受信エリアとしてもよい。また、放送局管理サーバ３および／または放送局ポータルサーバ４は、放送局２が想定している受信エリア内に存在せずに、別のエリアに存在する構成としてもよい。また、１つの放送局２に対して１つの放送局ポータルサーバ４が存在するが、１つの放送局２に対して複数の放送局ポータルサーバ４が存在してもよいし、複数の放送局２に対応する１つの放送局ポータルサーバ４が存在してもよい。また、放送局ポータルサーバ４をもたない放送局２が含まれてもよい。
【００９８】
また、図１に示す放送局管理サーバ３は、受信装置５を認証する機能、受信装置５の設置されている地域を特定する機能、放送局２に対応する放送局ポータルサーバ４の有無を判定する機能など少なくとも有するものとしたが、受信装置５を認証する機能、受信装置５の設置されている地域を特定する機能を有さないものとしてもよい。また、放送局管理サーバ３は、情報配信システム１における放送局ポータルサーバ４について統括的な管理を行うサーバであるが、情報配信システム１に含まれない放送局２（たとえば、放送局２に対応する放送局ポータルサーバ４が存在する場合であっても、情報配信システム１にその放送局ポータルサーバ４が放送局２に対応する放送局ポータルサーバ４として登録されていない場合、またはそもそも放送局ポータルサーバ４が存在しない場合など）についての情報を有するものとしてもよい。
【００９９】
また、放送局管理サーバ３、放送局ポータルサーバ４および受信装置５の各装置は、所定のプログラムにより動作する汎用の情報処理装置によってそれぞれ構成されてもよい。例えば、汎用の情報処理装置は、メモリ、ＣＰＵ、入出力ポートなどを有する。汎用の情報処理装置のＣＰＵは、メモリなどから所定のプログラムとして制御プログラムを読み込んで実行する。これにより、汎用の情報処理装置（コンピュータ）には、放送局管理サーバ３、放送局ポータルサーバ４および受信装置５の各部の機能が実現される。このようなプログラムは、上述した放送局管理サーバ３、放送局ポータルサーバ４および受信装置５の各装置が奏する効果と同様の効果を奏することができる。なお、上述したＣＰＵの代わりにＡＳＩＣ(Application Specific Integrated Circuit)、マイクロプロセッサ（マイクロコンピュータ）、ＤＳＰ(Digital Signal Processor)などを用いてもよい。なお、コンピュータが実行する制御プログラムは、放送局管理サーバ３、放送局ポータルサーバ４および受信装置５の出荷前に、汎用の情報処理装置のメモリなどに記憶されたものであっても、放送局管理サーバ３、放送局ポータルサーバ４および受信装置５の出荷後に、汎用の情報処理装置のメモリなどに記憶されたものであってもよい。また、制御プログラムの一部が、放送局管理サーバ３、放送局ポータルサーバ４および受信装置５の出荷後に、コンピュータのメモリなどに記憶されたものであってもよい。放送局管理サーバ３、放送局ポータルサーバ４および受信装置５の出荷後に、コンピュータのメモリなどに記憶される制御プログラムは、例えば、ＣＤ、ＤＶＤ、Ｂｌｕ−ｒａｙ（登録商標）などのコンピュータ読取可能な記録媒体に記憶されているものをインストールしたものであっても、インターネットなどの伝送媒体を介してダウンロードしたものをインストールしたものであってもよい。また、制御プログラムは、コンピュータによって直接実行可能なものだけでなく、ハードディスクなどにインストールすることによって実行可能となるものも含む。また、圧縮されたり、暗号化されたりしたものも含む。このように、コンピュータとプログラムによって放送局管理サーバ３、放送局ポータルサーバ４および受信装置５の機能を実現することにより、大量生産や仕様変更（または設計変更）に対して柔軟に対応可能となる。
【符号の説明】
【０１００】
１・・・情報配信システム、２・・・放送局、３・・・放送局管理サーバ、４・・・放送局ポータルサーバ、５・・・受信装置（情報受信制御装置の一例）、１０・・・ＩＰ通信網（通信手段の一例）、９１・・・操作入力部、９６・・・ネットワーク接続部（コンテンツ受信部の一例）、９８・・・情報記憶部、９９・・・制御部（受信許可部、受信許可維持部、コンテンツ記録制御部、コンテンツ予約制御部の一例）
【図１】
2012216966.tif 000003
【図２】
2012216966.tif 000004
【図３】
2012216966.tif 000005
【図４】
2012216966.tif 000006
【図５】
2012216966.tif 000007
【図６】
2012216966.tif 000008
【図７】
2012216966.tif 000009
【図８】
2012216966.tif 000010
【図９】
2012216966.tif 000011
【図１０】
2012216966.tif 000012
【図１１】
2012216966.tif 000013
【図１２】
2012216966.tif 000014
【図１３】
2012216966.tif 000015
【図１４】
2012216966.tif 000016
【図１５】
2012216966.tif 000017
【図１６】
2012216966.tif 000018